(57)【特許請求の範囲】
【請求項１】
隣設されるローパーティションの上端間を連結するための連結具を備え、この連結具は、隣設されるローパーティションの上端プレートに跨がっておかれる連結具本体を有し、この連結具本体には、ローパーティションの上端プレートの所定位置に穿設された位置決め孔に係合して両パーティションを拘束するための位置決め突部と、ローパーティションの上端プレートに穿設された取付孔を貫通して該上端プレートの下面に圧接される圧接部を有する固定用部片と、この固定用部片に先端が枢支された操作レバーと、この操作レバーを倒したとき該レバーの側面に突設されたピンが嵌合して倒伏位置を定める位置決め溝とが設けられ、前記操作レバーの先端部外周には該レバーの倒伏時に前記固定用部片の圧接部を上端プレートの下面に圧接させるためのカム部を有していることを特徴とするローパーティションにおける連結装置。
【発明の詳細な説明】
【０００１】
【発明の属する技術分野】
本発明はローパーティションにおける連結装置に係り、特に連結に際して工具を用いることなく、数少ない部品で連結することができ、しかも連結部のパーティションの前後方向へずれが生じないようにしたローパーティションにおける連結装置に関する。
【０００２】
【従来の技術】
一般にオフィス等の事務室においては、比較的広いスペース内に部署毎にデスクを纏めて配置するために隣り合う部署との間は間仕切り等が設けられている。
この間仕切りや目隠しには一般に比較的高さの低いパーティション（ローパーティション）を連結設置して室を仕切るようになされている。
【０００３】
これらパーティション間の連結装置としては一般に工具を使用しないで施工することができるようにしたビスレスの連結構造が増加している。
【０００４】
【発明が解決しようとする課題】
このようにして連結された間仕切りパーティションは、ビス止めのパーティンションの場合と比較して簡単に連結が可能なため施工性は向上したが、連結施工後の使用中において隣り合うパーティション同士の下端部は一線に揃っても、上端部を連結する連結具が強度不足の点から人または物に接触して押された状態となるとパーティション同士が前後にずれが生じて不揃いになりやすく、見栄えも悪くなるという問題があった。
【０００５】
【課題を解決するための手段】
本発明は上記のような問題点の対策としてビス止めに近い強度を確保しつつさらに隣り合うパーティション同士にずれが生ずることがなく、施工性も向上させることのできるローパーティションにおける連結装置を提供することを課題としてなされたものである。
【０００６】
すなわち請求項１記載の発明は、隣設されるローパーティションの上端間を連結するための連結具を備え、この連結具は、隣設されるローパーティションの上端プレートに跨がっておかれる連結具本体を有し、この連結具本体には、ローパーティションの上端プレートの所定位置に穿設された位置決め孔に係合して両パーティションを拘束するための位置決め突部と、ローパーティションの上端プレートに穿設された取付孔を貫通して該上端プレートの下面に圧接される圧接部を有する固定用部片と、この固定用部片に先端が枢支された操作レバーとを有し、この操作レバーを倒したとき前記固定用部片の圧接部を上端プレートの下面に圧接させて固定するようにしたことにある。
【０００７】
上記構成によれば、２個のローパーティション同士の連結は、まず、２個のパーティション同士の側面間を上端を除いて側面で固定したのち、隣設されるローパーティションの上端プレートの所定位置に穿設された位置決め孔間に連結具の連結具本体を跨がるように載置し、連結具本体に設けられている位置決め突部を位置決め孔に係合して両パーティションを拘束するとともに、連結具本体の上面に載置される固定用部片の圧接部を該上端プレートの下面に臨ませたのち、操作レバーの倒伏により前記下面に圧接させることにより固定状態に連結することができる。
【０００８】
また１個のパネルの側面とエンド支柱の側面との連結の場合も前記に準じて同様に行える。
【０００９】
請求項２記載にかかる発明は、隣設されるローパーティションの上端間を連結するための連結具を備え、この連結具は、隣設されるローパーティションの上端プレートに跨がっておかれる連結具本体を有し、この連結具本体には、ローパーティションの上端プレートの所定位置に穿設された位置決め孔に係合して両パーティションを拘束するための位置決め突部と、ローパーティションの上端プレートに穿設された取付孔を貫通して該上端プレートの下面に圧接される圧接部を有する固定用部片と、この固定用部片に先端が枢支された操作レバーと、この操作レバーを倒したとき該レバーの側面に突設されたピンが嵌合して倒伏位置を定める位置決め溝とが設けられ、前記操作レバーの先端部外周には該レバーの倒伏時に前記固定用部片の圧接部を上端プレートの下面に圧接させるためのカム部を有するようにしたことにある。
【００１０】
上記構成によれば、前項の固定による連結の際に、操作レバーには枢支点近くに予め側面側に突設されたピンを有しており、これに対して連結具本体側にはこのピンを受け入れる位置決め溝を設けてあるので、前記操作レバーの倒伏時、前記ピンはこの溝で位置決めされ、同時に前記レバーの先端部外周に突設したカム部が上端プレートの下面に圧接するように作動するので強固に連結される。
【００１１】
【発明の実施の形態】
以下、本発明を図面に示す実施の形態を参照して説明する。
【００１２】
図１は本発明のローパーティションにおける連結装置の全体を分解した状態とした斜視図を示すもので、図１における２個のパネル枠１，１′の側面１ａ，１ａ′同士をジョイント支柱２を介して、または図１の右側の１個のパネル枠１′の側面１ａ′をジョイント支柱２′を突き合わせにより連結する場合、ジョイント支柱２，２′の側面に列設された取付孔２ａ，２ａに一般に用いられている複数個の連結具（図示せず）が予め挿着されていて、この連結具を前記パネル１，１′の各側面１ａ，１ａ′に穿設された挿入孔３ａ，３ａにそれぞれ挿入することによりこれらが一体に連結されるようになっている。
【００１３】
同様に直角方向に配置された図１の左側の２個のパネル枠１，１″の側面１ａ，１ａ″同士を連結する場合も前記と同様にコーナジョイント支柱２″に予め取付けた連結具をパネル１，１″の側面１ａ，１ａ″の挿入孔３ａ，３ａに挿着することによりこれらが一体に連結されるようになっている。
【００１４】
また各パネル枠１，１′，１″の上面の少なくとも両端部は上端プレート１ｂ，１ｂ′，１ｂ″（１ｂ′，１ｂ″は１ｂと同じものであるから以下、１ｂとして説明する）が形成されている。
【００１５】
そして上述のように連結された各パネル枠１と１′、１′とジョイント支柱２′、および１と１″の間に位置する上端プレート１ｂ上にはそれぞれストレート用連結具４，コーナ用連結具５および末端用連結具６が取着されるようになっていて、その結果各パネル枠間の幅方向へのずれがこれにより防止されることになる。
【００１６】
図中、符号７は表面パネル、８は巾木、９は笠木、１０はエンドカバー、１１はエンドキャップ、１２は支柱カバー、１３はコーナキャップ、１４は笠木エンド、２ｂは支柱に設けられた他部材取付用孔を示す。
【００１７】
図２乃至図７は本発明の要部である連結具４（ストレート用）を示すもので、図２は側面図、図３は図２の平面図である。ここで連結具４は大別して連結具本体４ａ、固定用部片４ｂおよび操作レバー４ｃとで構成されている。
【００１８】
連結具本体４ａは図５（Ｂ）に示すように断面の上方が開放されたＵ字型で、長手方向は図２に示すように適宜長さを有し、底部の両端は下方に垂下して位置決め突部４ａ′に形成されている。
【００１９】
連結具本体４ａには図３に示すように底部に固定用部片４ｂの上部を貫通可能な幅で適宜長さを有するスリット１５が長手方向に、かつ両端側に設けられている。また連結具本体４ａには図２に示すように操作レバー４ｃが２点鎖線の位置からＸ方向に平行移動してその後実線位置に回動したとき、操作レバー４ｃに設けられているピン１６をスムーズに受け入れるため一方の側面が傾斜面１７ａとなった位置決め溝１７がそれぞれ設けられている。
【００２０】
固定用部片４ｂは図７にその詳細を示すように四角形状の一辺を直角に折り曲げてＬ形とした２片を背中合わせに重ね、両水平部分を外側とする圧接部４ｂ′に、垂直部分を立設状態の基部４ｂ″に形成したもので、重なった基部４ｂ″の厚みは前記スリット１５内を移動できる寸法とされ、基部４ｂ″の上部には連結具本体４ａ内に収まる程度に適宜長さの軸１８が厚さ方向に突出した状態に挿着されている。
【００２１】
操作レバー４ｃの先端部４ｃ′は前記固定用部片４ｂの基部４ｂ″を両側から挟むようにヨーク状に形成され、この内側に前記固定用部片４ｂの基部４ｂ″を挿入して先端部４ｃ′の一側から他側へ軸１８を通すことにより前記操作レバー４ｃを固定用部片４ｂに対して軸１８を中心として回動可能となるように取付けられている。
【００２２】
また操作レバー４ｃの基端部４ｃ′には図７（Ｂ）に示すように操作部４ｃ″に対し直交する位置に頂部を有するカム部１９が形成されており、前記操作部４ｃ″には軸１８に平行に前記ピン１６が操作部４ｃ″の両側に突出するように固着されている。このピン１６は図２に示したように操作レバー４ｃを倒伏状態に回動したとき両端部が連結具本体４ａの位置決め溝１７から外れないように連結具本体４ａの幅と等しいかこれよりも若干長めになっている。
【００２３】
つぎに図１、図４および図５に示すようにパネル枠１，１′の上部には上面より低い位置に凹部状に形成された上端プレート１ｂがあって、この部分に本発明による連結具４が取付けられるようになっている。
【００２４】
すなわち上端プレート１ｂの長手方向には所定位置に前記連結具本体４ａの位置決め突部４ａ′用の位置決め孔２０が、また位置決め孔２０よりも端部寄りの位置に固定用部片４ｂの圧接部４ｂ′を通過させて基部４ｂ″のみを中央に移動させることができるようにした四角形状の孔２１ａと長細形状の孔２１ｂとを組み合わせてなる凸型状をなす異形の取付孔２１がそれぞれ設けられている。
【００２５】
なお前記上端プレート１ｂは図５に示した実施形態ではパネル枠１，１′とは別体のものを示したが、パネル枠１，１′と一体に形成してたものであってもよい。
【００２６】
つぎに上端プレート１ｂに連結具４を取付ける場合の手順について説明する。
【００２７】
予め連結具本体４ａの取付孔１５，１５に操作レバー４ｃの固定用部片４ｂを取付けておく。
【００２８】
次いでこの連結具４を上端プレート１ｂに取付けるには、図５（Ｂ）に示す連結具４を図６に示すように嵌合させて行なう。
【００２９】
すなわち２つの直列した上端プレート１ｂ，１ｂ′にそれぞれ設けられた位置決め孔２０，２０に１個の連結具本体４ａの両端部の位置決め突部４ａ′，４ａ′を係合させて、上端プレート１ｂ，１ｂ′に連結具本体４ａを仮止めする。
【００３０】
そのうえで連結具本体４ａの底部から突出している圧接部４ｂ′を上端プレート１ｂ，１ｂにそれぞれ設けられた取付孔２１，２１の四角形状の孔２１ａに合わせて貫通させてから基部４ｂ″を長細形状の孔２１ｂ側に移動させる。
【００３１】
これにより固定用部片４ｂの圧接部４ｂ′は上端プレート１ｂ，１ｂ′の下面より下側に位置することになり、上方への引上げは不可能となる。これは図２において２点鎖線で示された操作レバー４ｃが起立したままで中央方向に平行移動した状態となったからである。
【００３２】
この状態から操作レバー４ｃのピン１６が連結具本体４ａの位置決め溝１７と対応する位置にスライドさせ、その位置で操作レバー４ｃを図２に示す実線のように回動させると操作レバー４ｃのピン１６は連結具本体４ａの傾斜面１７ａを滑り、位置決め溝１７内に落ち込んで操作レバー４ｃはこの位置にロックされる。上記ピン１６が位置決め溝１７に係合したことは、固定用部片４ｂの基部４ｂ″が取付孔２１の長細形状の孔２１ｂ側に位置したことになり、確実な締着が保証される。
【００３３】
一方この操作レバー４ｃの作動によりそのカム部１９が連結具本体４ａの底部上面に圧接するので下側の圧接部４ｂ′が引上げられて上側はカム部１９により、下側は圧接部４ｂ′で上端プレート１ｂ，１ｂ′を挟み込む。これにより操作レバー４ｃはカム部１９の摩擦で戻ることはなくなり、固定が確実に行える。
【００３４】
そして固定が確実に行われた時点で、図６に示すようにパネル枠１の上に笠木９が取付けられる。
【００３５】
図８および図９は本発明の他の実施形態の平面図および側面を示すもので、図２乃至図７が上端プレート１ｂ，１ｂ′にストレート用連結具４を用いたのに対してコーナ用連結具５を用いた点が相違する。
【００３６】
したがって上端プレート１ｂ，１ｂ″が互いに直角をなすように配置されているため連結具５の連結具本体５ａの形状も当然のことながら連結具本体４ａを中央で直角に曲げた形状のものとなる。しかしながら連結具５を構成する連結具本体５ａ以外の固定用部片４ｂ、および操作レバー４ｃは連結具４のものが共用できるし、また上端プレート１ｂ，１ｂ″の形状も１ｂ，１ｂ′と全く構造的には同一なため図面には同一の符号を付して再度の説明は省略する。
【００３７】
なお図１に示したパネル枠１′とジョイント支柱２とを上部で連結する末端用連結具６の場合は連結具本体４ａを中央位置で切断した形状のものが使用される。  したがってこの場合は固定用部片４ｂ、および操作レバー４ｃは連結具４のもの１個のみとなるが、取付方法は同一である。
【００３８】
【発明の効果】
本発明は以上説明したように、上端プレートをパネル枠に対してパネル枠の上面よりも低い位置の凹部として設け、この凹部に連結具を外れないように取付けたことにより連結されたパネル枠相互間にずれの生ずるような不具合は全くなくなる。さらに具体的には、
１）請求項１によれば、隣設されるローパーティションの上端プレートの所定位置に穿設された位置決め孔間に連結具の連結具本体を跨がるように載置し、連結具本体に設けた位置決め突部を位置決め孔に係合して両パーティションを拘束するとともに、連結具本体の上面に載置される固定用部片の圧接部を該上端プレートの下面に臨ませたのち、操作レバーの倒伏により前記下面に圧接させるようにしたから固定による連結をスムーズに行え、ローパーティション同士の前後方向のずれも発生しない。
【００３９】
２）請求項２によれば、前１項の固定による連結の際に、操作レバーには枢支点近くには予め側面側に突設されたピンを有しており、これに対して連結具本体側にはこのピンを受け入れる位置決め溝を設けてあるので、前記操作レバーの倒伏時、前記ピンはこの溝で位置決めされ、同時に操作レバーの基端部外周に突設したカム部が上端プレートの下面に圧接させるように作動するので固定による連結がさらに強化され、しかもローパーティション同士の前後方向のずれも発生しない。
【図面の簡単な説明】
【図１】本発明にかかるローパーティションにおける連結装置の一実施形態を示す分解斜視図。
【図２】本発明の要部であるストレート用連結具の一実施形態を示す側面図。
【図３】図２の平面図。
【図４】本発明の連結具が取付けられる上端プレート部分の平面図。
【図５】図４を側面方向から見た場合の分解断面図を示し、（Ａ）は笠木、（Ｂ）は連結具、（Ｃ）はローパーティションの上端プレート。
【図６】図５を組立てた状態を示す断面図。
【図７】本発明の要部である連結具の固定用部片と操作レバーの関係を示す組立図で、（Ａ）は平面図、（Ｂ）は側面図、（Ｃ）は（Ｂ）の左側面図。
【図８】本発明の他の実施形態であるコーナー用連結具の平面図
【図９】図８の側面図。
【符号の説明】
１，１′，１″  ローパーティション
１ｂ，１ｂ′，１ｂ″  上端プレート
２，２′，２″  ジョイント支柱
２ａ  他部材取付用孔
４，５，６  連結具
４ａ，５ａ  連結具本体
４ａ′  位置決め突部
４ｂ  固定用部片
４ｂ′  圧接部
４ｂ″  基部
４ｃ  操作レバー
４ｃ′先端部
１５  スリット
１６  ピン
１７  位置決め溝
１８  軸
１９  カム部
２０  位置決め孔
２１  取付孔
【図１】
0004149093.tif 000002
【図２】
0004149093.tif 000003
【図３】
0004149093.tif 000004
【図４】
0004149093.tif 000005
【図５】
0004149093.tif 000006
【図６】
0004149093.tif 000007
【図７】
0004149093.tif 000008
【図８】
0004149093.tif 000009
【図９】
0004149093.tif 000010